(57)【要約】本発明は、通信システムにおける適応フィルターによるグラフィック表示のための方法および装置に関する。前記装置は、グラフィック表示を記憶するためのメモリ（２１５）と、メモリに記憶されたグラフィック表示に関連するデータを含むメッセージを受信する通信プロトコルインターフェース（２０５）とを含む。受信されたメッセージからのデータが許容可能なデータの範囲内に収まるか否かを判断するための少なくとも１つのフィルター（２１５）が設けられる。マルチメディアソフトウェアエンジン（２３０）は、メッセージの状態で受信されたデータが許容可能なデータの範囲内に収まる場合には、記憶されたグラフィック表示を、該受信されたデータによって更新する。前記装置は、更新されたグラフィック表示を表示するためのディスプレイ（２２５）をさらに含む。
2004515842.tif 000002
【特許請求の範囲】
【請求項１】
ユーザー端末に記憶されたグラフィック表示に関連するデータを含むメッセージをユーザー端末において受信する段階と、
受信されたメッセージからのデータが許容可能なデータの範囲内に収まるか否かを判断する段階と、
メッセージの状態で受信されたデータが許容可能なデータの範囲内に収まる場合には、記憶されたグラフィック表示を、該データによって更新する段階と、
更新されたグラフィック表示をユーザー端末において表示する段階と
を具備することを特徴とする方法。
【請求項２】
前記受信されたメッセージからのデータが許容可能なデータの範囲内に収まるか否かを判断する段階は、
許容可能なデータの所定の範囲を定義するフィルターを、受信されたメッセージのデータに適用する段階と、
受信されたメッセージからのデータが、フィルターにより定義された許容可能なデータの範囲内に収まるか否かを判断する段階と
をさらに具備することを特徴とする請求項１に記載の方法。
【請求項３】
受信されたメッセージからのデータが許容可能なデータの範囲から外れる場合には、該データを廃棄する段階をさらに具備することを特徴とする請求項１に記載の方法。
【請求項４】
前記メッセージからのデータが廃棄された場合には、記憶されたグラフィック表示をユーザー端末において表示する段階をさらに具備することを特徴とする請求項３に記載の方法。
【請求項５】
ユーザー端末に記憶されたデータに関連する受信されたデータを含むメッセージをユーザー端末において受信する段階と、
記憶されたデータを、メッセージからの受信データによって更新する段階と、
記憶されかつ受信されたデータに基づいて、グラフィック表示をユーザー端末において生成する段階と、
生成されたグラフィック表示をユーザー端末において表示する段階と
を具備することを特徴とする方法。
【請求項６】
前記メッセージからの受信データが許容可能なデータの範囲内に収まるか否かを判断する段階をさらに具備することを特徴とする請求項５に記載の方法。
【請求項７】
前記メッセージからの受信データが許容可能なデータの範囲内に収まるか否かを判断する段階は、
許容可能なデータの所定の範囲を定義するフィルターを、受信されたメッセージのデータに適用する段階と、
受信されたデータが、フィルターにより定義された許容可能なデータの範囲内に収まるか否かを判断する段階と
をさらに具備することを特徴とする請求項６に記載の方法。
【請求項８】
メッセージからの受信データが許容可能なデータの範囲から外れる場合には、該受信データを廃棄する段階をさらに具備することを特徴とする請求項６に記載の方法。
【請求項９】
受信されたデータが許容可能なデータの範囲から外れる場合には、記憶されたデータに基づいて、グラフィック表示をユーザー端末において生成する段階と、
記憶されたデータに基づいて、生成されたグラフィック表示をユーザー端末において表示する段階と
をさらに具備することを特徴とする請求項８に記載の方法。
【請求項１０】
グラフィック表示を記憶するメモリと、
メモリに記憶されたグラフィック表示に関連するデータを含むメッセージを受信する受信器と、
受信されたメッセージからのデータが許容可能なデータの範囲内に収まるか否かを判断する少なくとも１つのフィルターと、
記憶されたグラフィック表示を、メッセージの状態で受信されたデータによって更新するモジュールと、
更新されたグラフィック表示を表示するディスプレイと
を具備することを特徴とする装置。
【請求項１１】
前記モジュールは、受信されたメッセージからのデータが、少なくとも１つのフィルターにより定義された許容可能なデータの範囲から外れる場合には、該データを廃棄することを特徴とする請求項１０に記載の装置。
【請求項１２】
前記モジュールは、メッセージからのデータが廃棄された場合には、記憶されたグラフィック表示をディスプレイ上に表示させることを特徴とする請求項１１に記載の装置。
【請求項１３】
前記グラフィック表示は、グラフ、表、チッカー、テキスト、および、画像のうちの少なくとも１つを具備することを特徴とする請求項１０に記載の装置。
【請求項１４】
第１データを記憶するメモリと、
メモリに記憶された第１データに関連する第２データを含むメッセージを受信する受信器と、
記憶された第１データを、メッセージの状態で受信された第２データによって更新し、かつ、第１データと第２データとに基づいて、グラフィック表示を生成するモジュールと、
生成されたグラフィック表示を表示するディスプレイと
を具備することを特徴とする装置。
【請求項１５】
受信された第２データが許容可能なデータの範囲内に収まるか否かを判断する少なくとも１つのフィルターをさらに具備することを特徴とする請求項１４に記載の装置。
【請求項１６】
前記モジュールは、メッセージから受信された第２データが、少なくとも１つのフィルターにより定義された許容可能なデータの範囲から外れる場合には、該第２データを廃棄することを特徴とする請求項１５に記載の装置。
【請求項１７】
前記モジュールは、メッセージからの第２データが廃棄された場合には、第１データに基づいてグラフィック表示を生成し、かつ、第１データに基づいて生成されたグラフィック表示を表示させることを特徴とする請求項１６に記載の装置。
【請求項１８】
前記グラフィック表示は、グラフ、表、チッカー、テキスト、および、画像のうちの少なくとも１つを具備することを特徴とする請求項１４に記載の装置。
【請求項１９】
グラフィック表示に関連するデータを含むメッセージを送信するサーバーと、
少なくとも１つのユーザー端末と
を具備するシステムであって、
前記少なくとも１つのユーザー端末は、
グラフィック表示を記憶するメモリと、
サーバーから送信されたメッセージを受信する受信器と、
受信されたメッセージからのデータが許容可能なデータの範囲内に収まるか否かを判断する少なくとも１つのフィルターと、
メッセージの状態で受信されたデータが許容可能なデータの範囲内に収まる場合には、メモリに記憶されたグラフィック表示を、該受信されたデータによって更新するモジュールと、
更新されたグラフィック表示を表示するディスプレイと
を具備することを特徴とするシステム。
【請求項２０】
前記グラフィック表示に関連するデータをサーバーに提供するコンテンツプロバイダをさらに具備することを特徴とする請求項１９に記載のシステム。
【請求項２１】
メッセージを送信するサーバーと、
少なくとも１つのユーザー端末と
を具備するシステムであって、
前記少なくとも１つのユーザー端末は、
第１データを記憶するメモリと、
メモリに記憶された第１データに関連する第２データを含むメッセージをサーバーから受信する受信器と、
記憶された第１データを、メッセージの状態で受信された第２データによって更新し、かつ、第１データと第２データとに基づいて、グラフィック表示を生成するモジュールと、
生成されたグラフィック表示を表示するディスプレイと
を具備することを特徴とするシステム。
【請求項２２】
前記第２データをサーバーに提供するコンテンツプロバイダをさらに具備することを特徴とする請求項２１に記載のシステム。
【発明の詳細な説明】
【０００１】
【発明の属する技術分野】
本発明は、グラフィック表示を生成することに関し、より詳細には、通信システムにおける適応フィルターによるグラフィック表示のための方法および装置に関する。
【０００２】
【従来の技術】
通信産業は、過去数年間で驚異的な成長を遂げてきた。この成長に対する重要な寄与は、従来的な音声通信の域を越えて拡張するデータメッセージングのような最新の通信サービスに対する要求である。これらの最新の通信サービスの人気がますます高まっているので、これらのサービスを提供するための通信インフラストラクチャがますます過負荷になり、これにより、望ましくないことではあるが、これらのサービスの品質の劣化が引き起こされ得る。
【０００３】
現在、このような人気の高い通信サービスの１つは、コンテンツを表示するための携帯用通信装置へのコンテンツの送信である。概略的に、コンテンツは、コンテンツプロバイダから発信し、かつ、例えば、無線周波数リンクを経て１つ以上の携帯用通信装置へ送信するためのメッセージの形でサーバーへ送信される。通信装置へ送信されるコンテンツの形式は非常に多様である。例えば、コンテンツは、天候関連データ、スポーツ関連データ、金融関連データ、および、他の多くの形式のデータを含むことができる。携帯用通信装置のユーザーは、一般的には、ユーザーが望むコンテンツを提供する１つまたは複数の特定のコンテンツプロバイダへ加入する。携帯用通信装置において受信されかつ表示されるコンテンツは、例えば、ユーザーの株ポートフォリオ内の或る株の値であってもよい。
【０００４】
しかしながら、これらのコンテンツ配信スキームが遭遇する或る問題は、望ましいコンテンツを携帯用通信装置のユーザーに提供するために通信システムを介して送信する必要があるデータの量である。すなわち、例えば、３０日間にわたる特定の株のデータを表示するために、コンテンツプロバイダは、株が値を変更する日付毎に、３０日間にわたる株についての全てのデータ値を送信する。これらのコンテンツサービスの人気が著しく上昇しているので、これらのコンテンツサービスを提供する通信システム上にかかる負担が増加しつつあり、この結果、これらのサービスの品質に対して著しい影響が及ぼされ得る。
【０００５】
【発明が解決しようとする課題】
本発明は、前述した１つ以上の問題点の影響を克服するか、または、少なくとも低減することに向けられる。
【０００６】
【課題を解決するための手段】
本発明の一特徴によれば、或る方法が提供される。前記方法は、ユーザー端末に記憶されたグラフィック表示に関連するデータを含むメッセージをユーザー端末において受信する段階と、受信されたメッセージからのデータが許容可能なデータの範囲内に収まるか否かを判断する段階と、メッセージの状態で受信されたデータが許容可能なデータの範囲内に収まる場合には、記憶されたグラフィック表示を、該データによって更新する段階と、更新されたグラフィック表示をユーザー端末において表示する段階とを具備する。
【０００７】
本発明の他の特徴によれば、或る装置が提供される。前記装置は、グラフィック表示を記憶するメモリと、メッセージを受信する受信器とを具備する。前記メッセージは、メモリに記憶されたグラフィック表示に関連するデータを含む。前記装置は、受信されたメッセージからのデータが許容可能なデータの範囲内に収まるか否かを判断する少なくとも１つのフィルターと、記憶されたグラフィック表示を、メッセージの状態で受信されたデータによって更新するモジュールとをさらに含む。更新されたグラフィック表示を表示するディスプレイがさらに設けられる。
【０００８】
本発明の他の特徴によれば、或るシステムが提供される。前記システムは、グラフィック表示に関連するデータを含むメッセージを送信するサーバーを具備する。前記システムは、少なくとも１つのユーザー端末をさらに具備し、該少なくとも１つのユーザー端末は、グラフィック表示を記憶するメモリと、サーバーから送信されたメッセージを受信する受信器と、受信されたメッセージからのデータが許容可能なデータの範囲内に収まるか否かを判断する少なくとも１つのフィルターと、メッセージの状態で受信されたデータが許容可能なデータの範囲内に収まる場合には、メモリに記憶されたグラフィック表示を、該受信されたデータによって更新するモジュールと、更新されたグラフィック表示を表示するディスプレイとを具備する。
【０００９】
本発明の他の特徴によれば、或る方法が提供される。前記方法は、ユーザー端末に記憶されたデータに関連する受信されたデータを含むメッセージをユーザー端末において受信する段階と、記憶されたデータを、メッセージからの受信データによって更新する段階と、記憶されかつ受信されたデータに基づいて、グラフィック表示をユーザー端末において生成する段階と、生成されたグラフィック表示をユーザー端末において表示する段階とを具備する。
【００１０】
本発明の他の特徴によれば、或る装置が提供される。前記装置は、第１データを記憶するメモリと、メッセージを受信する受信器とを具備する。前記メッセージは、メモリに記憶された第１データに関連する第２データを含む。記憶された第１データを、メッセージの状態で受信された第２データによって更新し、かつ、第１データと第２データとに基づいて、グラフィック表示を生成するモジュールがさらに設けられる。前記装置は、生成されたグラフィック表示を表示するディスプレイをさらに具備する。
【００１１】
本発明の他の特徴によれば、或るシステムが提供される。前記システムは、メッセージを送信するサーバーと、少なくとも１つのユーザー端末とを具備する。前記ユーザー端末は、第１データを記憶するメモリと、メモリに記憶された第１データに関連する第２データを含むメッセージをサーバーから受信する受信器と、記憶された第１データを、メッセージの状態で受信された第２データによって更新し、かつ、第１データと第２データとに基づいて、グラフィック表示を生成するモジュールと、生成されたグラフィック表示を表示するディスプレイとを具備する。
【００１２】
【発明の実施の形態】
本発明については、添付図面と関連して取り上げられる以下の説明を参照することにより最もよく理解することができる。これらの添付図面において、類似的な参照番号は類似的な要素を特定する。
【００１３】
本発明は種々の変更および代替的な形式が可能である一方で、その特定の実施形態が例として図面に示され、かつ、本明細書に詳細に説明される。しかしながら、本明細書内の特定の実施形態についての説明は、特定の開示された形式に本発明を制限するように意図されるものではなく、本発明は、添付される請求項により定義される本発明の真意および範囲内に収まる全ての変更、等価的内容、および、代替案を包含すべきであることを理解すべきである。
【００１４】
本発明の説明的実施形態について、以下に説明する。明瞭さのために、本明細書内では、実際の実施手段の全ての特徴については説明しない。もちろん、このような実際のあらゆる実施形態の展開において、システム関連およびビジネス関連の制約に対する準拠のような開発者の特定の目的を達成するために、多数の特定実施向けの（ｉｍｐｌｅｍｅｎｔａｔｉｏｎ−ｓｐｅｃｉｆｉｃ）決定が行われることが理解されるだろう。さらに、このような開発努力は複雑で時間のかかるものであり得るが、それでもなお、この開示内容の利益を受ける当業者にとって経常的な取り組みであることが理解されるだろう。
【００１５】
以下、図面を参照し、具体的には図１を参照すると、本発明の一実施形態による通信システム１００の簡略化されたブロック図が示される。通信システム１００は、１つ以上のコンテンツプロバイダ１０５を具備し、該コンテンツプロバイダ１０５は、通信システム１００の至る所に設置された１つまたは複数のユーザー端末にコンテンツを提供する。コンテンツプロバイダ１０５は、特定のコンテンツをユーザー端末１２０に広めるための商業的な、非営利的な、行政機関の、または、プライベートなエンティティを含むことができる。例えば、コンテンツプロバイダ１０５は、気温のような天候関連のコンテンツをユーザー端末１２０へ送信するための天気予報会社、または、スポーツの得点のようなスポーツ関連のコンテンツを提供するためのスポーツレポート会社であってもよい。
【００１６】
説明的実施形態によれば、ユーザー端末１２０へ送信されるコンテンツは、例えば、時間のようなランニングカウンターに関連するデータを含む。このデータは、上記に挙げた例の他に、例えば、企業セキュリティクォート（ｃｏｒｐｏｒａｔｅ ｓｅｃｕｒｉｔｙ ｑｕｏｔｅｓ）、市政セキュリティクォート（ｍｕｎｉｃｉｐａｌ ｓｅｃｕｒｉｔｙ ｑｕｏｔｅｓ）、財務省セキュリティクォート（Ｔｒｅａｓｕｒｙ ｓｅｃｕｒｉｔｙ ｑｕｏｔｅｓ）、株相場（ｓｔｏｃｋ ｑｕｏｔｅｓ）、インデックス相場（ｉｎｄｅｘ ｑｕｏｔｅｓ）、商品先物相場（ｃｏｍｍｏｄｉｔｙ ｆｕｔｕｒｅｓ ｑｕｏｔｅｓ）、オプションプライス相場（ｏｐｔｉｏｎｓ ｐｒｉｃｅ ｑｕｏｔｅｓ）、運動選手の統計資料（ａｔｈｌｅｔｅ ｓｔａｔｉｓｔｉｃｓ）、降水量、湿度、企業売上高、ある会社の１つ以上の製品についての利用可能な在庫、または、ある販売員についての個々の売上高を含むことができる。コンテンツが、他の種々のデータを含むことができ、したがって、必ずしも前述した例に制限される必要がないことが理解されるだろう。
【００１７】
本発明の一実施形態によれば、コンテンツプロバイダ１０５は、コンテンツをサーバー１１０へ提供し、次に、該サーバー１１０は、該コンテンツを、通信ネットワーク１２５を経て、１つ以上のユーザー端末１２０へ送信する。一実施形態において、サーバー１１０は、コンテンツを複数のコンテンツプロバイダ１０５から受信し、かつ、該複数のコンテンツプロバイダ１０５から遠隔的に配置される。しかしながら、本発明の真意または範囲から逸脱することなく、代替的に、サーバー１１０を特定のコンテンツプロバイダ１０５と同じ場所に配置できることが理解されるだろう。
【００１８】
コンテンツプロバイダ１０５の他に、ユーザー端末１２０へ送信されるコンテンツは、コンテンツアグリゲータ（ｃｏｎｔｅｎｔ ａｇｇｒｅｇａｔｏｒ）１４０から生じることもでき、該コンテンツアグリゲータ１４０は、２つ以上の別々のコンテンツプロバイダ１０５からの関連コンテンツまたは非関連コンテンツを提供することができる。例えば、或るコンテンツプロバイダ１０５は天気予報会社であってもよく、かつ、他のコンテンツプロバイダ１０５は、株相場を報告するための会社であってもよい。この特定の実施形態において、コンテンツアグリゲータ１４０は、これらの別々のコンテンツプロバイダ１０５からのコンテンツを収集し、次に、このコンテンツを、その後にユーザー端末１２０へ配信するためにサーバー１１０へ転送する。
【００１９】
ユーザー端末１２０の各々は、通信ネットワーク１２５に連結された１つ以上のユーザーネットワーク１３０と通信し、該通信ネットワーク１２５を通して、ユーザー端末１２０は、サーバー１１０により送信されたコンテンツを受信する。一実施形態によれば、ユーザー端末１２０は、無線グラフィック可能（ｗｉｒｅｌｅｓｓ ｇｒａｐｈｉｃｓ−ｃａｐａｂｌｅ）装置の形を取ることができ、かつ、例えば無線周波数（ＲＦ）通信リンクを経てユーザーネットワーク１３０と通信することができる。この特定の実施形態において、ユーザー端末１２０については、無線モデムを装備されたラップトップ、ノートブック、または、パームトップコンピュータとして、無線モデムを装備された携帯情報端末（ＰＤＡ）として、グラフィック可能ページャとして、移動衛星端末移動電話として、セルラー電話として、パーソナル通信システム（ＰＣＳ）電話として、または、他の同様のタイプの携帯用グラフィック可能通信装置として具体化することができる。代替的実施形態において、ユーザー端末１２０は、例えば、有線通信リンクを経てユーザーネットワーク１３０に固定されるパーソナルコンピュータのような有線グラフィック可能装置の形を取ることができる。
【００２０】
以下、図２を参照すると、ユーザー端末１２０についてのより詳細な表示が、本発明の一実施形態にしたがって示される。ユーザー端末１２０は、ユーザーネットワーク１３０と通信するためにユーザー端末１２０をユーザーネットワーク１３０にインターフェース接続するための通信プロトコルインターフェース２０５を具備する。一実施形態において、通信プロトコルインターフェース２０５は、例えば、無線様式でユーザーネットワーク１３０を経てサーバー１１０から送信されたコンテンツを受信する無線モデムの形を取ることができる。あるいは、通信プロトコルインターフェース２０５は、有線通信リンクを介してユーザー端末１２０へコンテンツを配信することを可能にするモデムまたは他の既知のデータ通信プロトコルの形を取ることができる。ユーザー端末１２０は、その全体的な動作を制御するためのプロセッサ２１０と、サーバー１１０から送信された受信コンテンツを記憶するためのメモリ２１５とをさらに含む。
【００２１】
さらに、ユーザー端末１２０は、該ユーザー端末１２０とのユーザーによる相互交流（ｉｎｔｅｒａｃｔｉｏｎ）を可能にするためのユーザーインターフェース２２０を備えて構成設定される。ユーザーインターフェース２２０については、例えば、キーボードとして、タッチスクリーンとして、タッチパッドのようなポインティングデバイスとして、音声認識として、ホットキーとして、具体化することができる。ユーザーインターフェース２２０が、挙げられた例のうちの１つを、または、挙げられた例の任意の組み合わせを含み得ることが理解されるだろう。他の幾つかの既知のタイプのユーザーインターフェース２２０を、挙げられた例に加えて、または、挙げられた例の代わりに利用できることがさらに理解されるだろう。
【００２２】
説明する実施形態において、ユーザー端末１２０は、該ユーザー端末１２０へ送信されたコンテンツを視覚的に示すためのディスプレイスクリーン２２５を伴って構成設定される。このようなコンテンツの視覚的表示は、例えば、グラフ、表、チッカー（ｔｉｃｋｅｒ）、テキスト、または、画像、という形であってもよい。ユーザー端末１２０は、ディスプレイスクリーン２２５上に表示するための受信コンテンツの組織化を容易にするために、マルチメディアソフトウェアエンジン（モジュール）２３０と、１つ以上のデータフィルター２３５とをさらに伴って構成設定される。マルチメディアソフトウェアエンジン２３０およびデータフィルター２３５の機能性については、詳細な説明が進行するにつれて理解されるだろう。
【００２３】
説明する実施形態によれば、１つ以上のマルチメディアアプリケーションが、受信されたコンテンツをユーザーへ視覚的に伝達するために、ユーザー端末１２０のプロセッサ２１０上で実行される。一実施形態において、マルチメディアアプリケーションは、テキスト、グラフィック、映像、アニメーション、および／または、音声を、統合された方法で、ブラウザまたはグラフィカルユーザーインターフェース（ＧＵＩ）を通して、ユーザーに提示することができる。図３を参照すると、受信されたコンテンツをユーザー端末１２０のディスプレイスクリーン２２５上に視覚的に伝達するマルチメディアアプリケーション３０５の例が示される。
【００２４】
マルチメディアアプリケーション３０５のフォーマットは、例えば、ユーザー端末１２０へ提供すべき特定のコンテンツ、ディスプレイスクリーン２２５のスクリーン空間効率、または、ユーザーの可読性（ｒｅａｄａｂｉｌｉｔｙ）に依存し得る。一実施形態において、マルチメディアアプリケーション３０５は、ユーザー端末１２０にコンテンツを提供する特定のコンテンツプロバイダ１０５またはコンテンツアグリゲータ１４０に固有のものである。あるいは、ユーザー端末１２０上で実行されるマルチメディアアプリケーション３０５については、コンテンツを提供するコンテンツプロバイダ１０５またはコンテンツアグリゲータ１４０から独立したものであってもよい。
【００２５】
一実施形態によれば、コンテンツプロバイダ１０５またはコンテンツアグリゲータ１４０は、特定ベンダー向け（ｖｅｎｄｏｒ−ｓｐｅｃｉｆｉｃ）セマンティクス（ｓｅｍａｎｔｉｃｓ）を含むことができ、この場合に、特定ベンダー向けセマンティクスにしたがって書かれたコンテンツと、ユーザー端末１２０の特定ブラウザまたはＧＵＩ向け（ｂｒｏｗｓｅｒ ｏｒ ＧＵＩ−ｓｐｅｃｉｆｉｃ）セマンティクスにしたがって書かれたコンテンツとの間で翻訳を行うために、プロキシサービスを用いることができる。プロキシサービスは、コンテンツプロバイダ１０５、コンテンツアグリゲータ１４０、または、サーバー１１０のサイトに存在することができる。あるいは、プロキシサービスは、本発明の真意または範囲から逸脱することなく、ユーザー端末１２０に存在することができる。
【００２６】
図３に示されるように、ディスプレイスクリーン２２５上に表示されるマルチメディアアプリケーション３０５は、１つ以上のグラフおよび／または表を、グラフ／表領域３１０、テキスト領域３１５、チッカー領域３２０、および、ビットマップ領域３２５内に含むことができる。もちろん、図３に示されるような特定のマルチメディアアプリケーション３０５は例示的なものに過ぎないことが理解されるだろう。したがって、マルチメディアアプリケーション３０５のレイアウトは、示される特定の例とは異なったものであってもよい。
【００２７】
マルチメディアアプリケーション３０５のグラフ／表領域３１０内に表示されるグラフおよび／または表の数は、ユーザー端末１２０のプロセッサ２１０の処理能力および／またはメモリ２１５の利用可能な収容能力に依存し得る。一実施形態によれば、マルチメディアアプリケーション３０５は、グラフおよび／または表をグラフ／表領域３１０内に表示する一方で、スクリーン空間を節約するためのカルーセル（ｃａｒｏｕｓｅｌ）をグラフ／表領域３１０内に含む。したがって、この特定の実施形態において、グラフ／表領域３１０の多数のグラフおよび／または表を、規則的な時間間隔で、または、不規則的な時間間隔でトグルすることができる。こうして、グラフ／表領域３１０は、特定の株のグラフと、特定のインデックスのグラフとを含むことができ、この場合に、これらのグラフは、例えば５秒間隔で、自動的にトグルされる。あるいは、カルーセルのグラフ／表領域３１０は、手動トグリングによってユーザーにより制御されるものであってもよい。このような手動トグリングについては、例えば、或るグラフまたは表から次のグラフまたは表へ順次的にトグルするために、または、順次的に続いて（ｓｅｑｕｅｎｔｉａｌｌｙ−ｓｕｂｓｅｑｕｅｎｔ）表示されたものではない表示用グラフまたは表を直接的に選択するために、ユーザーインターフェース２２０を経て１つ以上のキーを始動することにより達成することができる。代替的実施形態において、手動トグリングは、例えば、ディスプレイスクリーン２２５上にあって、ユーザーがユーザーインターフェース２２０を経て選択するための利用可能なグラフまたは表をリスト化するダイアログボックスまたはプルダウンメニューを用いたユーザーによる相互交流を伴うことができる。
【００２８】
一実施形態によれば、マルチメディアアプリケーション３０５は、ユーザー端末１２０のマルチメディアソフトウェアエンジン２３０によりリアルタイムで生成されるグラフィック表示を含むことができる。一実施形態において、グラフィック表示は、グラフ、表、チッカー、テキスト、または、画像を含むことができるが、必ずしもこれらに制限されるものではない。この特定の実施形態において、グラフィック表示は、前述したような手動または自動トグリングに基づいて、オンザフライ（ｏｎ−ｔｈｅ−ｆｌｙ）でプロットされる。グラフィック表示は、１つ以上の色を有するフォーマットを含むことができ、例えば、．ｂｍｐフォーマットや、．ｇｉｆフォーマットや、．ｊｐｇフォーマットや、．ｔｉｆフォーマットや、．ｐｄｆフォーマットや、．ｐｃｄフォーマットや、．ｒｌｅフォーマットや、．ｔｇａフォーマットや、．ｐｃｘフォーマットや、．ｃｔｆフォーマットや、または、．ｒｏｂフォーマットのような標準的またはベンダー専有（ｖｅｎｄｏｒ−ｐｒｏｐｒｉｅｔａｒｙ）画像フォーマットを含むことができる。
【００２９】
特定のグラフィック表示についてのデータをメッセージを経て受信すると、ユーザー端末１２０は、マルチメディアソフトウェアエンジン２３０によるグラフィック表示の生成後に、後でメモリ２１５から回収して表示するために、該グラフィック表示をメモリ２１５に局所的にセーブすることができる。あるいは、記憶されたグラフィック表示については、メモリ２１５から回収することができ、かつ、マルチメディアソフトウェアエンジン２３０は、サーバー１１０からの新たなデータに基づいて、該グラフィック表示を変更することができ、次に、該グラフィック表示を表示することができる。他の実施形態において、ユーザー端末１２０は、特定のグラフィック表示についてのデータポイントをメモリ２１５にセーブすることができ、かつ、該データポイントをディスプレイスクリーン２２５へ直接的にプロットすることができる。この特定の実施形態において、グラフィック表示自体は、ユーザー端末１２０のメモリ２１５に記憶されない。正しくは、グラフィック表示は、グラフィック表示を表示すべきである毎に、マルチメディアソフトウェアエンジン２３０により生成される。グラフィック表示を表示すべきである毎にグラフィック表示がマルチメディアソフトウェアエンジン２３０により再生成される実施形態は、より高速のプロセッサ２１０と、より小さな収容能力のメモリ２１５とを有するユーザー端末１２０のために、より適切であり得る。逆に、マルチメディアソフトウェアエンジン２３０による生成後に、該グラフィック表示がメモリ２１５に局所的にセーブされる実施形態は、より低速のプロセッサ２１０と、より大きな収容能力のメモリ２１５とを有するユーザー端末１２０のために、より適切であり得る。マルチメディアソフトウェアエンジン２３０によりグラフィック表示を生成するための特定のプロセスが、当業者には十分に公知であることが理解されるだろう。したがって、本発明を不必要に曖昧にすることを回避するために、マルチメディアソフトウェアエンジン２３０によりグラフィック表示を生成するための詳述について、本明細書内では開示しない。
【００３０】
例えば、グラフィック表示がピクチャー画像の形を取る実施形態において、ユーザー端末１２０は、該ユーザー端末１２０に既に記憶されたピクチャー画像についてのピクセル値に対するピクセルの変化をメモリ２１５に記憶しさえすればよい。例えば、１つ以上のピクセルがターンオン状態またはターンオフ状態となった可能性があり、または、１つ以上のピクセルが或る色から他の色へ変化した可能性がある。したがって、画像を変更するためには、特定の画像のピクセルにおけるこれらの変化のみをメモリ２１５に記憶しさえすればよい。
【００３１】
以下、図４を参照すると、ユーザー端末１２０による受信のためにサーバー１１０から送信されるメッセージ４０５の例が、本発明の一実施形態にしたがって示される。メッセージ４０５は、ヘッダー部４１０と、データ部４１５とを具備する。ヘッダー部４１０は、サーバー１１０からのメッセージ４０５を、該メッセージ４０５が意図される対象である１つ以上のユーザー端末１２０へ向けるルーティングヘッダー４２０を含む。メッセージ４０５のデータ部４１５は、コンテンツプロバイダ１０５またはコンテンツアグリゲータ１４０からのコンテンツデータを含む。
【００３２】
メッセージ４０５のヘッダー部４１０は、マルチメディアアプリケーション識別部（ＩＤ）４２５をさらに含み、該マルチメディアアプリケーション識別部（ＩＤ）４２５は、メッセージ４０５のデータ部４１５を適用すべき対象であるユーザー端末１２０上で実行されるマルチメディアアプリケーション３０５を識別する。ユーザー端末１２０上で実行されるマルチメディアアプリケーション３０５が２つ以上存在すれば、マルチメディアアプリケーションＩＤ４２５は、メッセージ４０５が意図される対象である特定のマルチメディアアプリケーション３０５を識別する。マルチメディアアプリケーションＩＤ４２５の利用は、誤って向けられるメッセージ送信を回避するためにも役立つ。例えば、特定のユーザー端末１２０がマルチメディアアプリケーションＩＤ“０１”を処理するためにのみ認可されているが、マルチメディアアプリケーションＩＤ“０５”を有するメッセージを不注意にも受信してしまった場合に、マルチメディアソフトウェアエンジン２３０は、メッセージ４０５を誤って向けられたものとして識別し、かつ、それに対応するデータ部４１５を無視する。ユーザー端末１２０にとって利用可能なマルチメディアアプリケーション３０５が１つのみ存在すれば、マルチメディアアプリケーションＩＤ４２５をメッセージ４０５のヘッダー部４１０から除外できることがさらに理解されるだろう。
【００３３】
メッセージ４０５のヘッダー部４１０は、マルチメディアソフトウェアエンジン２３０によりマルチメディアアプリケーション３０５上で実行すべき演算を示すように機能する演算識別子４３０をさらに含む。異なる演算識別子４３０およびこれらに対応する演算は、例えば、マルチメディアアプリケーション３０５内のグラフを新たなデータポイントによって更新するための“Ｕ”と、表を新たなデータポイントによって更新するための“Ｔ”と、チッカーを新たなデータポイントによって更新するための“Ｘ”と、グラフを削除するための“Ｄ”と、グラフを隠すための“Ｃ”と、グラフを追加するための“Ａ”と、データフィルター２３５を更新するための“Ｆ”と、データを適用すべき対象である特定のデータフィルター２３５を選択するための“Ｓ”とを含むことができる。マルチメディアソフトウェアエンジン２３０によりアプリケーション３０５上で実行すべき演算が、演算識別子４３０により識別される他の種々の演算を含むことができ、したがって、前述した例に必ずしも制限される必要がないことが理解されるだろう。演算識別子４３０により示される演算は、マルチメディアアプリケーション３０５内において新たなパラメータおよび／または新たなコンテンツを反映するために、表示されたアプリケーション３０５の領域を動的に変更することを、マルチメディアソフトウェアエンジン２３０に可能にさせる。ソフトウェアエンジン２３０がアプリケーション３０５上で（例えば、グラフを更新するのみのような）１つの演算のみを実行する場合に、演算識別子４３０をメッセージ４０５のヘッダー部４１０から任意的に除外できることがさらに理解されるだろう。
【００３４】
説明する実施形態において、メッセージ４０５のヘッダー部４１０は、該メッセージ４０５のヘッダー部４１０を適用すべき対象である特定のグラフ／表を示すためのグラフ／表番号４３５をさらに含む。これにより、メッセージ４０５が、アプリケーション３０５のグラフ／表領域３１０内に表示される第３のグラフのための新たなデータポイントを含む場合に、グラフ／表番号４３５については、例えば、“０３”により示すことができる。第３のグラフまたは表の操作が、演算識別子４３０により区別されることが理解されるだろう。すなわち、“Ｕ０３”は、第３のグラフを新たなデータポイントによって更新することを示す一方で、“Ｔ０３”は、第３の表を新たなデータポイントによって更新することを示す。グラフまたは表が１つのみ表示される場合に、グラフ／表番号４３５をメッセージ４０５のヘッダー部４１０から除外できることがさらに理解されるだろう。マルチメディアアプリケーション３０５のチッカー領域、テキスト領域、および、ビットマップ画像領域のうち２つ以上がマルチメディアアプリケーション３０５内に存在する場合には、グラフ／表番号４３５をこれらの特定の領域へさらに拡張できることもまた理解されるだろう。
【００３５】
説明する実施形態によれば、メッセージ４０５のデータ部４１５は、表示されたマルチメディアアプリケーション３０５の関連部分を更新するために、年４４０と、月４４５と、日付４５０と、時刻４５５（２４時間制）と、データ４６０とを含む。例えば、メッセージ４０５のデータ部４１５は、特定の日時における株相場を含むことができる。この株相場については、メッセージ４０５の受信後に、必要に応じて、マルチメディアアプリケーション３０５のグラフ、表、または、チッカー上で更新することができる。あるいは、データ部４１５は、特定の日時における都市の気温、特定の時刻におけるスポーツイベントの得点などを示すことができる。データ４６０が、ビットマップ画像に対するテキストまたは変更（例えば、前述したように、画像の種々のピクセルをターンオンまたはターンオフすること、または、種々のピクセルの色を変更すること）を代替的に含み得ることがさらに理解されるだろう。
【００３６】
説明する実施形態によれば、サーバー１１０は、更新されたデータをメッセージ４０５を経てユーザー端末１２０へ送信するように構成設定される。したがって、メッセージ４０５がユーザー端末１２０において受信される場合に、マルチメディアソフトウェアエンジン２３０は、マルチメディアアプリケーション３０５の関連領域を更新するために、新たに受信されたデータを、メモリ２１５に既に記憶された既存のデータに追加しさえすればよい。例えば、サーバー１１０が特定の株価を一日中にわたって毎正時に送信するように構成設定される場合に、マルチメディアソフトウェアエンジン２３０は、メッセージ４０５の状態で新たに受信されたデータを、メモリ２１５に既に記憶された既存のデータ（すなわち、以前に送信された株価）に適用する。この特定の例において、マルチメディアソフトウェアエンジン２３０は、例えば、アプリケーション３０５内のグラフ／表領域３１０内のグラフを更新し、これにより、以前に送信された株価に対する現在の株価をユーザーに視覚的に伝達する。
【００３７】
説明する実施形態によれば、マルチメディアソフトウェアエンジン２３０は、構成設定される際にマルチメディアアプリケーション３０５の特定領域に適合しないあらゆる望ましくないまたは無関係のデータを除去するために、メッセージ４０５のデータ部４１５に、１つ以上のデータフィルター２３５を適用する。以下、図５を参照すると、メッセージ４０５のデータ部４１５が適用される対象であるデータフィルター２３５が、一実施形態にしたがって示される。説明する実施形態において、各々のデータフィルター２３５は、メッセージ４０５の状態で受信されたデータが準拠する範囲内であるカウンター値または時間範囲を定義する。一実施形態において、データフィルター２３５は、コンテンツプロバイダ１０５またはコンテンツアグリゲータ１４０により定義される。他の実施形態において、データフィルター２３５のデータ範囲については、例えば、ユーザー端末１２０のユーザーにより、ユーザーインターフェース２２０を通して代替的に定義することができる。
【００３８】
データフィルター２３５は、表示されたデータのグラニュラリティ（ｇｒａｎｕｌａｒｉｔｙ）を決定する。すなわち、フィルター５０５により定義されるように午前８時から午後４時まで毎時間データが表示されるか否か、フィルター５１０により定義されるように２４時間の期間に毎時間データが表示されるか否か、または、フィルター５１５により定義されるように最後の４時間にわたって１分毎にデータが表示されるか否かである。メッセージ４０５内のデータについては、月曜から金曜まで毎日データを表示するためのフィルター５２０、土曜から日曜まで毎日データを表示するためのフィルター５２５、最後の３０日間にわたって毎日データを表示することを定義するようなフィルター５３０、または、最後の１２ヶ月間にわたって毎月データを表示することを定義するようなフィルター５３５にさらに適用することができる。
【００３９】
データフィルター２３５は、選択された特定のフィルター２３５について定義されたデータ範囲内に収まらないメッセージ４０５からのデータを拒絶する。例えば、最後の４時間にわたる株価をグラフ上に表示するためにデータフィルター５１５が選択される場合に、該フィルター５１５は、ユーザー端末１２０により午後３時２９分に表示するための、午前１１時２０分についてのデータポイントを拒絶する。さらに、マルチメディアソフトウェアエンジン２３０は、特定のグラフまたは表についての異なるカウンター値範囲または時間範囲をアプリケーション３０５の同一スクリーン領域内に動的に表示するために、データフィルター２３５を用いることができる。
【００４０】
他の種々のタイプのデータをフィルタリングするために、前述したような時間関連フィルター５０５〜５３５に加えて、または、これらの代わりに、フィルター２３５を利用できることがさらに理解されるだろう。例えば、交通事故データをプロットされたマップをアプリケーション３０５が含む場合に、該アプリケーション３０５により表示されたマップの尺度に応じて、該交通事故データについても同様にフィルタリングすることができる。したがって、アプリケーション３０５が例えば半径５０マイルを有する特定領域のマップを表示する場合には、このような半径５０マイルの外側で発生する交通事故データについては、フィルター５４０を選択することによってマルチメディアソフトウェアエンジン２３０により無視することができる。あるいはまた、ソフトウェアエンジン２３０は、例えば、フィルター５４５を選択することにより、半径１，０００マイルの外側についてのデータを拒絶することができる。データフィルター２３５および該フィルター２３５の各々についてのデータ範囲セットの数が、挙げられた例から変動し得ることもまた理解されるだろう。
【００４１】
ユーザー端末１２０により受信されたデータについては、該データが現在表示されているデータに対して無意味であるかまたは重要ではない場合に、フィルター２３５によりフィルタリングすることもできる。すなわち、最後の５年にわたる特定の株値を示すアプリケーション３０５によりグラフが表示される場合に、このような株の価格についての現在のデータを、該株の５年の履歴のグラフに影響を及ぼすためには無関係なものと見なすことができる。したがって、このような現在送信されているデータについては、アプリケーション３０５により現在表示されている尺度に対して重要ではないので、フィルター２３５により消去することができる。
【００４２】
本発明の一実施形態によれば、ユーザー端末１２０のメモリ２１５に記憶された構成設定ファイルは、グラフ特性、チッカー特性、表特性、テキスト特性、および／または、画像特性のようなマルチメディアアプリケーション特性またはデータを含むことができる。グラフ特性は、例えば、各グラフのタイトル、各グラフのために利用可能な１つまたは複数のフィルタータイプ２３５、グラフの右上隅のＸ−Ｙ座標、および／または、グラフの左下隅のＸ−Ｙ座標を含むことができる。
【００４３】
以下、図６を参照すると、本発明の一実施形態によるプロセスが示される。前記プロセスは、ブロック６０５において始まり、サーバー１１０は、コンテンツプロバイダ１０５またはコンテンツアグリゲータ１４０からのデータとともに１つ以上のユーザー端末１２０へ送信するためのメッセージ４０５を生成する。一実施形態によれば、サーバー１１０は、１つ以上のユーザー端末１２０への最後の送信以後に変化したデータ（例えば、株価の変更）のみを送信する。
【００４４】
ブロック６１０において、ユーザー端末１２０は、新たなメッセージ４０５がサーバー１１０から受信されたか否かを判断する。メッセージ４０５がまだ受信されていなければ、マルチメディアソフトウェアエンジン２３０は、メモリ２１５に記憶された既存のグラフィック表示を用い、かつ、適切な場合に、ブロック６４５において、該グラフィック表示（例えば、グラフ）をマルチメディアアプリケーション３０５の適切な領域内に表示する。しかしながら、ブロック６１０において、新たなメッセージ４０５が受信されれば、プロセスはブロック６２５へ進行し、マルチメディアソフトウェアエンジン２３０は、マルチメディアアプリケーションＩＤ４２５と、演算識別子４３０と、グラフ／表番号４３５と、対応するデータ４６０とを得るために、メッセージ４０５を構文解析する。マルチメディアソフトウェアエンジン２３０は、メッセージ４０５内のデータ４６０のために指定された適切なデータフィルター２３５と、適切な場合にグラフィック表示を表示するための特性とを得るために、メモリ２１５内の構成設定ファイルからの読み出しを行う。
【００４５】
ブロック６３０において、マルチメディアソフトウェアエンジン２３０は、受信されたデータ４６０がデータフィルター２３５のパラメータまたは時間の範囲内にあるか否かを判断する。否定的な判断結果の場合には、ブロック６３５において、メッセージ４０５からのデータ４６０は無視または廃棄され、かつ、プロセスの流れはブロック６２０へ進行し、既存のグラフィック表示が表示のために用いられる。受信されたデータ４６０が特定のデータフィルター２３５の時間範囲内にあれば、ブロック６４０において、メッセージ４０５からの新たなデータ４６０を含むように、グラフィック表示が更新される。次に、ブロック６４５において、ユーザー端末１２０は、更新されたグラフィック表示をディスプレイスクリーン２２５上に表示する。
【００４６】
以下、図７を参照すると、本発明の他の実施形態によるプロセスが示される。前記プロセスは、ブロック７０５において始まり、サーバー１１０は、コンテンツプロバイダ１０５またはコンテンツアグリゲータ１４０からのデータとともに１つ以上のユーザー端末１２０へ送信するためのメッセージ４０５を生成する。図６のプロセスにおいて前述したように、サーバー１１０から送信されるデータは、ユーザー端末１２０への最後の送信以後のグラフィック表示についての新たなデータを含む。
【００４７】
ブロック７１０において、ユーザー端末１２０は、新たなメッセージ４０５がサーバー１１０から受信されたか否かを判断する。メッセージ４０５がまだ受信されていなければ、マルチメディアソフトウェアエンジン２３０は、対応するグラフィック表示のためにメモリ２１５に記憶された既存のデータポイントを変更せず、ブロック７４５において、記憶されたデータポイントを用いて該グラフィック表示（例えば、グラフ）をマルチメディアアプリケーション３０５の適切な領域内に生成する。しかしながら、ブロック７１０において、新たなメッセージ４０５が受信されれば、プロセスはブロック７２５へ進行し、マルチメディアソフトウェアエンジン２３０は、前述したように、マルチメディアアプリケーションＩＤ４２５と、演算識別子４３０と、グラフ／表番号４３５と、対応するデータ４６０とを得るために、メッセージ４０５を構文解析する。マルチメディアソフトウェアエンジン２３０は、データ４６０のために指定された適切なデータフィルター２３５と、適切な場合の特定のグラフィック表示のための特性とを得るために、メモリ２１５内の構成設定ファイルをさらに読み出す。
【００４８】
ブロック７３０において、マルチメディアソフトウェアエンジン２３０は、受信されたデータ４６０がデータフィルター２３５のパラメータまたは時間の範囲内にあるか否かを判断し、かつ／または、メモリ２１５に記憶されたデータポイントがなおも該フィルターの時間の範囲内にあるか否かを判断する。否定的な判断結果の場合には、メッセージ４０５からのデータ４６０、および／または、メモリ２１５に記憶されたデータは無視または廃棄され、かつ、プロセスの流れはブロック７２０へ進行し、記憶された既存のデータポイントが、表示のためのグラフィック表示を生成するために用いられる。受信されたデータ４６０が特定のデータフィルター２３５の時間範囲内にあれば、ブロック７４０において、新たなグラフィック表示を生成するために、メッセージ４０５からの新たなデータ４６０が、記憶されたデータポイントに追加される。次に、ブロック７４５において、ユーザー端末１２０は、マルチメディアソフトウェアエンジン２３０により生成されたグラフィック表示をディスプレイスクリーン２２５上に生成しかつ表示する。
【００４９】
帯域幅の影響を受け易い媒体において、本発明は、ユーザー端末１２０の局所的な計算能力および記憶能力をサーバー１００に対して作動させることにより、高品質なグラフィック表示を容易にする。これにより、本発明は、グラフィック表示を提示するために全てのデータポイントおよび／または特性を送信せずに該グラフィック表示を示すために、より少量のデータメッセージをユーザー端末１２０へ送信することを可能にする。
【００５０】
例えば、複数のユーザー（すなわち、加入者）を有するサービスプロバイダは、通常は、料金プランに応じて、送信可能または受信可能な文字についての毎月の配分（例えば１０，０００文字のように）を割り当てる。送信または受信された各メッセージについての文字は、ユーザーの毎月の配分から控除される。明確には、短いメッセージよりも長いメッセージの方が、より大きな金銭的影響をユーザーに与える。したがって、コンテンツプロバイダが何百もの文字長さを具備する全体的なグラフ画像を送信するために、ユーザーの毎月の配分が著しく低下する可能性がある。しかしながら、本発明について、新たなデータのみが送信されるので、ユーザー端末１２０へ送信されるメッセージは遙かに短い。したがって、ユーザーの毎月の文字の配分は、特定の画像についてのデータが全て送信される場合よりも遙かに遅い割合で低下する。
【００５１】
例えば、メモリ２１５のようなコンピュータ読み取り可能な媒体に含まれる命令シーケンスの実行は、以下に説明する作用をプロセッサ２１０に実行させる。コンピュータ読み取り可能な媒体が、１つ以上のメモリ装置および／または搬送波を含み得ることを理解すべきである。このような命令については、他のコンピュータ読み取り可能な媒体から、または、別の装置から、通信プロトコルインターフェース２０５を経て、メモリ２１５内に読み込むことができる。代替的実施形態において、本発明を実施するために、ソフトウェア命令の代わりに、または、ソフトウェア命令と組み合わせて、配線（ｈａｒｄ−ｗｉｒｅｄ）回路を用いることができる。したがって、本発明は、ハードウェア回路およびソフトウェアのいかなる特定の組み合わせにも制限されるものではない。
【００５２】
本明細書の教示内容を利用できる当業者には明らかな、様々ではあるが等価的な方法で、本発明を変更しかつ実施することができるので、上記に開示した特定の実施形態は説明的なものに過ぎない。さらに、本明細書に示される構成または構想についての詳細に対して、請求項に記載される内容以外のいかなる制限も意図されるものではない。したがって、上記に開示された特定の実施形態を変更または修正でき、かつ、このような変形例は全て本発明の真意および範囲内にあると考えられることが明らかである。したがって、本明細書において求められる保護については請求項に述べられる。
【図面の簡単な説明】
【図１】本発明の一実施形態による、コンテンツデータを１つ以上のユーザー端末へ広めるための通信システムの簡略化されたブロック図である。
【図２】一実施形態による、図１のユーザー端末についてのより詳細な表示を示す図である。
【図３】図２のユーザー端末において表示されるマルチメディアアプリケーションの一例を示す図である。
【図４】図２のユーザー端末により受信されるコンテンツデータを含むメッセージの一例を示す図である。
【図５】図４のメッセージの状態で受信されるデータをフィルタリングするために用いられる一連のデータフィルターを示す図である。
【図６】本発明の一実施形態によるプロセスを示す図である。
【図７】本発明の他の実施形態によるプロセスを示す図である。
【符号の説明】
１０５  コンテンツプロバイダ
１１０  サーバー
１２５  通信ネットワーク
１３０  ユーザーネットワーク
１３０  ユーザーネットワーク
１３０  ユーザーネットワーク
１４０  コンテンツアグリゲータ
２０５  通信プロトコルインターフェース
２１０  プロセッサ
２１５  メモリ
２２０  ユーザーインターフェース
２２５  ディスプレイスクリーン
２３０  マルチメディアソフトウェアエンジン
２３５  データフィルター
３０５  マルチメディアアプリケーション
４０５  メッセージ
４１０  ヘッダー部
４１５  データ部
４２０  ルーティングヘッダー
４２５  マルチメディアアプリケーション
４３０  演算識別子
４３５  グラフ／表 番号
４６０  データ
５０５〜５４５  フィルター
【図１】
2004515842.tif 000003
【図２】
2004515842.tif 000004
【図３】
2004515842.tif 000005
【図４】
2004515842.tif 000006
【図５】
2004515842.tif 000007
【図６】
2004515842.tif 000008
【図７】
2004515842.tif 000009
【国際公開パンフレット】
2004515842.tif 000010
2004515842.tif 000011
2004515842.tif 000012
2004515842.tif 000013
2004515842.tif 000014
2004515842.tif 000015
2004515842.tif 000016
2004515842.tif 000017
2004515842.tif 000018
2004515842.tif 000019
2004515842.tif 000020
2004515842.tif 000021
2004515842.tif 000022
2004515842.tif 000023
2004515842.tif 000024
2004515842.tif 000025
2004515842.tif 000026
2004515842.tif 000027
2004515842.tif 000028
2004515842.tif 000029
2004515842.tif 000030
2004515842.tif 000031
2004515842.tif 000032
2004515842.tif 000033
2004515842.tif 000034
2004515842.tif 000035
2004515842.tif 000036
2004515842.tif 000037
2004515842.tif 000038
2004515842.tif 000039
2004515842.tif 000040
2004515842.tif 000041
2004515842.tif 000042
2004515842.tif 000043
2004515842.tif 000044
2004515842.tif 000045
2004515842.tif 000046
【国際公開パンフレット（コレクトバージョン）】
2004515842.tif 000047
2004515842.tif 000048
2004515842.tif 000049
2004515842.tif 000050
2004515842.tif 000051
2004515842.tif 000052
2004515842.tif 000053
2004515842.tif 000054
2004515842.tif 000055
2004515842.tif 000056
2004515842.tif 000057
2004515842.tif 000058
2004515842.tif 000059
2004515842.tif 000060
2004515842.tif 000061
2004515842.tif 000062
2004515842.tif 000063
2004515842.tif 000064
2004515842.tif 000065
2004515842.tif 000066
2004515842.tif 000067
2004515842.tif 000068
2004515842.tif 000069
2004515842.tif 000070
2004515842.tif 000071
2004515842.tif 000072
2004515842.tif 000073
2004515842.tif 000074
2004515842.tif 000075
2004515842.tif 000076
2004515842.tif 000077
2004515842.tif 000078
2004515842.tif 000079
2004515842.tif 000080
2004515842.tif 000081
2004515842.tif 000082
2004515842.tif 000083
【国際調査報告】
2004515842.tif 000084
2004515842.tif 000085